(57)【要約】【課題】環境発電を行う発電素子と、電力を消費する機能素子とを備える電子機器において、機能素子として許容される素子の消費電力を高めることの可能な電子機器を提供する。【解決手段】電子機器１０は、電源部３０と、電源部３０を電源として作動する機能素子４０と、機能素子４０の作動を制御する制御部２０と、環境発電を行う発電素子を含む発電部５０と、を備える。電源部３０と制御部２０のいずれか一方である接続対象に発電部５０は接続され、発電部５０の発電した電力によって発電部５０の生成する信号が発電部５０から接続対象に入力されたとき、制御部２０は、起動し、電源部３０を電源として、機能素子４０への作動の指示を行う。【選択図】図１
2015097453.tif 000002
【特許請求の範囲】
【請求項１】
電源部と、
前記電源部を電源として作動する機能素子と、
前記機能素子の作動を制御する制御部と、
環境発電を行う発電素子を含む発電部と、を備え、
前記電源部と前記制御部のいずれか一方である接続対象に前記発電部は接続され、
前記発電部の発電した電力によって前記発電部の生成する信号が前記発電部から前記接続対象に入力されたとき、前記制御部は、起動し、前記電源部を電源として、前記機能素子への作動の指示を行う
電子機器。
【請求項２】
前記電源部は、前記制御部の起動に要する電力を前記電源部から前記制御部に供給する
請求項１に記載の電子機器。
【請求項３】
前記接続対象は、前記電源部であり、
前記信号が前記電源部に入力されたとき、
前記制御部は、前記制御部のすべての機能を停止した状態から起動する
請求項１または２に記載の電子機器。
【請求項４】
前記接続対象は、前記制御部であり、
前記信号が前記制御部に入力されたとき、
前記制御部は、前記制御部の一部の機能を停止した状態から起動する
請求項１または２に記載の電子機器。
【請求項５】
前記電子機器は、表面に操作部を備えるカード形状を有し、
前記発電素子は、前記電子機器の内部にて、前記操作部の下方に配置された圧電素子であり、
前記圧電素子は、前記操作部が押圧されることによって発電する
請求項１〜４のいずれか一項に記載の電子機器。
【発明の詳細な説明】
【技術分野】
【０００１】
本開示の技術は、環境発電を行う発電素子を備える電子機器に関する。
【背景技術】
【０００２】
近年、環境中に存在するエネルギーを電力に変換する環境発電（エナジー・ハーベスティング）を利用した電子機器の開発が進められている。例えば、特許文献１に記載の電子機器は、環境発電によって得られた電力を蓄電部に蓄電し、蓄電部を電源としてセンサや発光素子等の機能素子を駆動する。こうした環境発電のエネルギー源としては、例えば、光、熱、振動、電磁波等が用いられる。
【先行技術文献】
【特許文献】
【０００３】
【特許文献１】特開２０１３−１０２６３９号公報
【発明の概要】
【発明が解決しようとする課題】
【０００４】
ところで、環境発電によって得られる単位時間あたりの電力は小さいため、電子機器において単位時間あたりに蓄電できる蓄電量も低くならざるを得ない。特に、小型化が求められる電子機器では、電子機器に搭載できる発電素子の大きさや数に限界があるため、環境発電による蓄電量を増大させることは困難である。結果として、電子機器が駆動できる機能素子は、消費電力の小さい素子に限られてしまう。
【０００５】
本開示の技術は、環境発電を行う発電素子と電力を消費する機能素子とを備える電子機器において、機能素子として許容される素子の消費電力を高めることの可能な電子機器を提供することを目的とする。
【課題を解決するための手段】
【０００６】
上記課題を解決する電子機器は、電源部と、前記電源部を電源として作動する機能素子と、前記機能素子の作動を制御する制御部と、環境発電を行う発電素子を含む発電部と、を備える。そして、前記電源部と前記制御部のいずれか一方である接続対象に前記発電部は接続され、前記発電素子の発電した電力によって前記発電部の生成する信号が前記発電部から前記接続対象に入力されたとき、前記制御部は、起動し、前記電源部を電源として、前記機能素子への作動の指示を行う。
【０００７】
上記構成によれば、発電部が生成した信号は、制御部に起動の契機を与えるために用いられ、制御部の起動後、制御部と機能素子とは、電源部を電源として作動する。したがって、機能素子として許容される素子の消費電力について、発電素子の発電量から受ける制約が小さくなるため、機能素子として許容される素子の消費電力が高められる。
【０００８】
上記電子機器において、前記電源部は、前記制御部の起動に要する電力を前記電源部から前記制御部に供給することが好ましい。
上記構成によれば、制御部の起動に要する電力が電源部から供給されるため、制御部の起動に要する電力が発電部から供給される場合と比較して、機能素子の作動に際して発電素子にて必要とされる発電量は小さい。したがって、発電素子の発電効率が低い場合や環境中のエネルギーが少ない状況であっても、電子機器を作動させることができる。
【０００９】
上記電子機器において、前記接続対象は、前記電源部であり、前記信号が前記電源部に入力されたとき、前記制御部は、前記制御部のすべての機能を停止した状態から起動してもよい。
【００１０】
上記構成によれば、発電素子の発電によって制御部に起動の契機が与えられるまでの間は、制御部がすべての機能を停止している。したがって、一部の機能を停止した状態から制御部が起動する場合と比較して、機能素子が作動していない状態における制御部の消費電力を抑えることができる。その結果、電源部における充電や電池の交換などの電源部のメンテナンスの頻度を低減することができる。
【００１１】
上記電子機器において、前記接続対象は、前記制御部であり、前記信号が前記制御部に入力されたとき、前記制御部は、前記制御部の一部の機能を停止した状態から起動してもよい。
【００１２】
上記構成によれば、制御部がすべての機能を停止した状態からその制御部が起動する場合と比較して、制御部の起動に要する時間を短縮することができる。したがって、発電素子による発電から機能素子の作動までにかかる時間が短縮される。
【００１３】
上記電子機器において、前記電子機器は、表面に操作部を備えるカード形状を有し、前記発電素子は、前記電子機器の内部にて、前記操作部の下方に配置された圧電素子であり、前記圧電素子は、前記操作部が押圧されることによって発電することが好ましい。
【００１４】
カード形状を有する機器は、内部の大きさに限りがあるため、搭載できる発電素子の大きさや数には限りがある。こうしたカード形状を有する機器に上記構成が適用されることによって、発電素子の発電量が小さい場合であっても、機能素子を作動させることが可能となる。したがって、上記構成から得られる効果は、より顕著である。また、操作部の押圧によって、機能素子が作動するため、機能素子を作動させる際の操作が容易でもある。
【発明の効果】
【００１５】
本開示の電子機器によれば、機能素子として許容される素子の消費電力が高められる。
【図面の簡単な説明】
【００１６】
【図１】本開示の電子機器における第１の実施形態での電子機器の機能的な構成を示すブロック図である。
【図２】第１の実施形態における電子機器の一例であるＩＣカードの全体構成を示す斜視図である。
【図３】第１の実施形態における電子機器の一例であるＩＣカードの機能的な構成を示すブロック図である。
【図４】本開示の電子機器における第２の実施形態での電子機器の機能的な構成を示すブロック図である。
【図５】第２の実施形態における電子機器の一例であるＩＣカードの機能的な構成を示すブロック図である。
【発明を実施するための形態】
【００１７】
図１〜図３を参照して本開示の電子機器における第１の実施形態を説明する。
［電子機器の構成］
図１に示されるように、電子機器１０は、制御部２０と、電源部３０と、機能素子４０と、発電部５０と、を備えている。
【００１８】
制御部２０は、ＣＰＵ、メモリ、各種の処理に特化した専用プロセッサ等から構成される。制御部２０は、制御部２０に接続される機能素子４０などの構成要素の作動を制御することによって、電子機器１０の作動を統括的に制御する。
【００１９】
電源部３０は、制御部２０の駆動に要する電圧を生成して制御部２０に印加し、また、機能素子４０の駆動に要する電圧を生成して機能素子４０に印加する。電源部３０は、一次電圧を生成する電池やキャパシタ等の電源と、制御部２０の駆動に要する二次電圧の生成回路と、機能素子４０の駆動に要する二次電圧の生成回路とを含む。
【００２０】
電源部３０は、これら二次電圧の印加を制御する制御回路を含んでもよい。一次電圧を生成する電池は、一次電池であってもよいし、二次電池であってもよい。二次電池としては、例えば、リチウムイオン二次電池や有機ラジカル電池が挙げられる。キャパシタとしては、電気二重層キャパシタが挙げられる。二次電池やキャパシタへの充電方法は特に限定されず、二次電池やキャパシタは、例えば、商用電源への接続によって充電されてもよいし、電磁誘導やアンテナによる高周波エネルギーの受信を利用した非接触給電によって充電されてもよい。
【００２１】
機能素子４０は、機能素子４０を駆動するための電圧を電源部３０から受け、制御部２０からの指示に従って作動する。機能素子４０は、電力を消費して作動する素子であればよく、機能素子４０の有する機能は、表示などの出力であってもよいし、外部との通信であってもよいし、これらの組み合わせであってもよく、特に限定されない。例えば、機能素子４０は、ディスプレイや発光ダイオード等のように、電子機器１０に対して視覚的な変化を与える表示素子であってもよいし、無線モジュールや有線通信用の通信部等のように、外部の装置へデータや制御信号を送信する通信素子であってもよいし、こうした素子の組み合わせであってもよい。
【００２２】
発電部５０は、環境発電を行う発電素子を有して、制御部２０に接続されている。環境発電には、例えば、光を電力に変換する太陽光発電や、温度差等の熱を電力に変換する熱電発電や、振動を電力に変換する振動発電や、電磁波や磁力を電力に変換する発電等が含まれる。こうした発電素子は、例えば、太陽光発電素子、ペルチェ素子、圧電素子、レクテナなどに具体化される。なお、ここで例示した素子に限らず、環境中に存在するエネルギーを電力に変換する素子であれば、発電素子として用いることができる。
【００２３】
発電部５０は、制御部２０を起動するための信号を発電素子の発電した電力から生成し、その信号を制御部２０に入力する。発電部５０は、制御部２０を起動するための信号を制御部２０に入力して以降、制御部２０における処理モードの変更に要する電力を制御部２０に供給してもよいし、こうした電力は電源部３０が供給してもよい。
【００２４】
［電子機器の作用］
上記電子機器１０の作用を説明する。
発電素子の発電によって生成された信号が、発電部５０の接続先である制御部２０に入力されたとき、制御部２０は起動する。制御部２０の起動は、具体的には、以下の手順に従って進む。
【００２５】
発電素子の発電によって生成された信号が、発電部５０から制御部２０に入力されたとき、制御部２０は、待機モードから起動してオンモードに移行する。待機モードは、待機モードからオンモードへ処理モードを変更する機能以外の機能を制御部２０が停止している状態であり、オンモードは、制御部２０がこうした機能の停止を行っていない状態である。制御部２０は、処理モードを変更するための信号を発電部５０から受けて以降、オンモードへの移行に要する電力を、発電部５０から得てもよいし、電源部３０から得てもよい。なお、オンモードへの移行に要する電力が電源部３０から供給される構成は、制御部２０の処理モードをオンモードに遷移させるために発電部５０が発電しなければならない電力が小さい点において好ましい。
【００２６】
なお、発電部５０は、発電素子と制御部２０との間にコンデンサやコンデンサの蓄電状態を監視する監視回路等を有し、発電素子からコンデンサへの蓄電量が所定のしきい値以上であるときに、監視回路から制御部２０へ処理モードを変更するための信号を入力してもよい。こうした構成によれば、発電部５０の発電量が所定量以上であるときに、制御部２０が起動する。すなわち、発電部５０に与えられる環境中のエネルギーが所定の大きさ以上である時に、電子機器１０が作動する。したがって、電子機器１０が作動する条件となる電子機器１０の周囲の状況について、より厳格な設定をすることができる。
【００２７】
制御部２０がオンモードに遷移すると、制御部２０は所定のプログラムに従って、機能素子４０に作動の指示を行う。このとき、制御部２０の処理に要する電力は、電源部３０から供給される。機能素子４０は、制御部２０からの指示に基づいて作動する。このとき、機能素子４０の作動に要する電力は、電源部３０から供給される。そして、所定のプログラムに従った制御部２０の処理が終了すると、制御部２０は、オンモードから待機モードに移行する。これによって、電子機器１０の作動は終了する。
【００２８】
なお、電子機器１０は、上述の構成を有する機器であれば、それの形状や大きさや用途は限定されない。
例えば、電子機器１０は、機能素子４０としてディスプレイを備え、発電素子として圧電素子を備えるカード形状を有した機器に具体化される。この場合、電子機器１０に機械的な応力が加えられることによって、圧電素子は発電し、これによって、制御部２０が起動する。そして、制御部２０の指示に従って、ディスプレイが文字等を表示する。
【００２９】
また例えば、電子機器１０は、発電素子として圧電素子を備える靴型やリストバンド型等のウェアラブルデバイスに具体化される。この場合、装着者の歩行や腕振りといった動作によって圧電素子が変形することによって、圧電素子は発電し、これによって、制御部２０が起動する。そして、制御部２０の指示に従って、機能素子４０が作動する。例えば、電子機器１０は、踵部分に圧電素子が配置された靴型のウェアラブルデバイスに具体化され、機能素子４０としてＬＥＤが設けられる。そして、装着者の歩行に伴って、圧電素子が発電してＬＥＤが発光する。
【００３０】
また例えば、電子機器１０は、機能素子４０として無線モジュールを備え、発電素子としてペルチェ素子を備える機器に具体化される。この場合、ペルチェ素子の周囲で所定の温度差が発生したとき、ペルチェ素子は発電し、これによって、制御部２０が起動する。そして、制御部２０の指示に従って、外部機器の駆動を制御する信号を無線モジュールが送信する。例えば、閉じられた空間とその外部の空間との境界にペルチェ素子が設置され、無線モジュールは、閉じられた空間内部の温度調整機器に温度差を制御するための信号を送信する。これによれば、閉じられた空間とその外部の空間との間での温度差を制御することができる。
【００３１】
また例えば、電子機器１０は、機能素子４０としてセンサと無線モジュールとを備え、発電素子として太陽光発電素子を備える機器に具体化される。この場合、太陽光発電素子に光が当たることによって、太陽光発電素子は発電し、これによって、制御部２０が起動する。そして、制御部２０の指示に従って、センサが作動し、無線モジュールがセンサの検出結果を外部の機器に送信する。例えば、センサが温度を検出する構成であれば、電子機器１０に光が当たるごとに、電子機器１０の周囲の環境の温度が測定され、その測定結果が外部の機器に蓄積される。
【００３２】
その他、電子機器１０は、ＲＦＩＤタグや、各種のウェアラブルデバイスや、ワイヤレスセンサネットワークあるいはＭ２Ｍネットワーク等のネットワークにて用いられるセンサ・アクチュエータデバイス等に具体化されてもよい。
【００３３】
このように電子機器１０において、発電素子の発電によって発電部５０が生成した信号は、制御部２０に起動の契機を与えるために用いられ、制御部２０の起動後、制御部２０と機能素子４０とは、電源部３０を電源として作動する。したがって、発電部５０の発電量に限りがある場合であっても、機能素子４０として許容される素子の消費電力が高められる。この際に、制御部２０に起動の契機を与えるために必要な電力は、機能素子４０を作動させるために必要な電力よりも大幅に小さいため、環境発電によって生成された電力であっても、制御部２０に起動の契機を与えて、電子機器１０を作動させることができる。例えば、１μＡ程度の電流信号でも、制御部２０に起動の契機を与えることができる。
【００３４】
また、制御部２０が一部の機能を停止した状態から起動するため、制御部２０がすべての機能を停止した状態から起動する場合と比較して、起動に要する時間を短縮することができる。したがって、発電部５０による発電から機能素子４０の作動までにかかる時間が短縮される。
【００３５】
以下、電子機器１０が、表示機能を有するＩＣカードに具体化された例を説明する。
[ＩＣカードの構成および作用]
図２に示されるように、電子機器１０の一例であるＩＣカード１００は、非接触型のＩＣカードであって、板状の本体部１１０と、本体部１１０に設けられた表示部１２０および操作部１３０を備えている。
【００３６】
本体部１１０は、例えば樹脂から形成され、本体部１１０の内部には、ＩＣチップや非接触通信および非接触給電用のアンテナ等が収容されている。表示部１２０としては、例えば、液晶パネルや有機ＥＬパネルや電子ペーパー等のディスプレイが用いられる。表示部１２０は、機能素子４０の一例である。操作部１３０は、ボタン型に形成され、押圧によって本体部１１０の厚さ方向に変形する。本体部１１０の内部にて操作部１３０の下方には、フィルム状の圧電素子１４０が配置されている。圧電素子１４０は、発電素子の一例である。操作部１３０が押圧されると、圧電素子１４０は変形して、圧電素子１４０に加えられた圧力に応じた電圧を生成する。
【００３７】
図３に示されるように、ＩＣカード１００は、上述の制御部２０、電源部３０、機能素子４０としての表示部１２０、および、発電素子としての圧電素子１４０を有する発電部５０と、アンテナ１５０とを備えている。
【００３８】
アンテナ１５０は、情報信号と電力信号とが重畳した高周波をリーダライタ等の外部の機器から受信する。アンテナ１５０は、リーダライタ等の外部の機器に向けて情報信号を高周波として送信する。ＩＣカード１００は、ＩＣカード１００と外部の機器との間で情報信号を送受信すると共に、電力信号を電力に変換して電源部３０を充電する。
【００３９】
具体的には、アンテナ１５０から入力される正弦波のアナログ信号は、情報信号と電力信号とに分離される。情報信号は、制御部２０の有する通信用プロセッサにてデジタル信号に変換されて受信データとして処理される。ＩＣカード１００から外部の機器に送信される情報信号は、制御部２０の有する通信用プロセッサにて変調された信号であり、通信用プロセッサからアンテナ１５０に出力される。電力信号は、電源部３０が有する整流回路等によって各部を駆動するための電圧に変換される。電源部３０の生成した電圧は、電源部３０から制御部２０に供給されて、制御部２０が上述のデータの処理を行う際の電圧として用いられる。また、電源部３０の生成した電圧は、表示部１２０が表示するための電圧として用いられる。そして、電源部の変換した電圧の中で余剰分は、電源部３０に蓄電される。アンテナ１５０を介した送受信に伴う処理が終了すると、制御部２０は待機モードに移行する。
【００４０】
制御部２０が待機モードであるときに操作部１３０が押圧されると、圧電素子１４０が発電する。この発電によって生成される信号が発電部５０から制御部２０に入力されると、制御部２０にて割り込み処理が行われて、制御部２０が待機モードからオンモードに移行する。
【００４１】
制御部２０がオンモードに移行すると、制御部２０は、表示部１２０の表示を制御する制御信号と表示データとを表示部１２０に出力する。表示部１２０は、制御信号および表示データに基づいて文字や画像を表示する。制御部２０が表示部１２０の駆動に要する電力と、表示部１２０の表示に要する電力とは、電源部３０から供給される。
【００４２】
例えば、ＩＣカード１００が電子マネーによる決済システムに用いられ、制御部２０が有する記憶部に残金情報が記憶されている場合、制御部２０は、残金情報に基づく表示データを生成して表示部１２０に出力し、表示部１２０は残金を表示する。そして、所定のプログラムに従った作動がＩＣカード１００において終了すると、制御部２０は、オンモードから待機モードに移行する。
【００４３】
こうした各部の作動によって、ＩＣカード１００では、操作部１３０が押圧されると、表示部１２０に文字等が表示される。なお、先の図２では、操作部１３０が１つのボタン型のキーから構成される例を示したが、操作部１３０の構成はこれに限られない。
【００４４】
例えば、操作部１３０は、０〜９の数字が記載された１０個のボタン型のキーから構成されてもよい。この場合、特定のキーが押圧された場合に、制御部２０が起動する、あるいは、起動後に制御部２０が表示部１２０に作動を指示する。例えば、すべてのキーの下に圧電素子１４０が配置され、制御部２０は、どの圧電素子１４０が発電したかを検出し、特定の圧電素子１４０が発電した場合に、モードの移行を行う。これによれば、特定のキーが押圧された場合にのみ、制御部２０を起動させることができる。また例えば、制御部２０は、どの圧電素子１４０が発電したかを検出し、オンモードに移行した後に、発電した素子が特定の圧電素子１４０であった場合に、表示部１２０への作動の指示を行ってもよい。これによれば、特定のキーが押圧された場合にのみ、制御部２０に表示部１２０への作動の指示を行わせることができる。あるいは、特定のキーの下にのみ圧電素子１４０が配置されることにより、圧電素子１４０が配置されているキーが押圧された場合にのみ、発電部５０から制御部２０に信号が入力される。これによっても、特定のキーが押圧された場合にのみ、制御部２０を起動させることができる。
【００４５】
また例えば、操作部１３０は、文字が書かれる領域から構成されてもよい。この場合、操作部１３０に、署名等の特定の文字が書かれた場合に、制御部２０が起動する、あるいは、起動後に制御部２０が表示部１２０に作動を指示する。例えば、ＩＣカード１００の内部にて操作部１３０の下方には、複数の圧電素子１４０がマトリクス状に配置され、操作部１３０に指やペン先等で文字が書かれると、筆圧を受けて、書かれた文字の下に配置されている圧電素子１４０が発電する。制御部２０は、どの圧電素子１４０が発電したかを検出し、あるいは、筆圧に応じた厚み方向の任意の変形量を検出し、特定の圧電素子１４０が発電した場合に、モードの移行や表示部１２０への作動の指示を行う。これによれば、操作部１３０に、特定の文字が書かれた場合にのみ、制御部２０の起動や制御部２０から表示部１２０への作動の指示が行われる。あるいは、操作部１３０の下方の特定の位置にのみ圧電素子１４０が配置されてもよい。この場合、圧電素子１４０の上を通るように、操作部１３０に文字が書かれた場合にのみ、発電部５０から制御部２０に信号が入力される。これによれば、操作部１３０に特定の文字が書かれた場合にのみ、制御部２０を起動させることができる。
【００４６】
このように、操作部１３０に対応して複数の圧電素子１４０が配置され、各素子の発電の有無が、制御部２０の起動もしくは表示部１２０への作動の指示の条件とされる。こうした構成によれば、操作部１３０に対して特定の操作が行われたとき、表示部１２０が作動する。すなわち、表示部１２０を作動させるにあたっての認証機能が、圧電素子１４０と制御部２０とによって実現されるため、ＩＣカード１００の使用に対するセキュリティを高めることができる。
【００４７】
以上説明したように、第１の実施形態によれば、以下の効果が得られる。
（１）機能素子４０として許容される素子の消費電力について、発電素子の発電量から受ける制約が小さくなるため、機能素子４０として許容される素子の消費電力が高められる。
【００４８】
（２）処理モードの変更に要する電力が、電源部３０から制御部２０に供給される構成では、機能素子４０を作動させるために発電部５０にて必要な発電量をより小さくできる。そのため、発電部５０の発電効率が低い場合や環境中のエネルギーが少ない状況であっても、電子機器１０を作動させることができる。
【００４９】
（３）制御部２０が一部の機能を停止した状態から起動するため、起動に要する時間を短縮することができる。
（４）電子機器１０がＩＣカード１００に具体化され、操作部１３０の押圧によって圧電素子１４０が発電し、制御部２０が起動して表示部１２０を作動させる。小型化が要求されるＩＣカードに電子機器１０の構成が適用されることによって、圧電素子１４０の発電量が小さい場合であっても表示部１２０を作動させることが可能となる。
【００５０】
（５）発電部５０の有する発電素子が圧電素子１４０に具体化され、圧電素子１４０がボタン型の操作部１３０の下方に配置されるため、操作部１３０の押圧によって、電子機器１０であるＩＣカード１００が作動する。それゆえ、ＩＣカード１００を作動させる際の操作が容易であり、操作を行う人に与える違和感も少ない。
【００５１】
（第２の実施形態）
図４および図５を参照して、本開示の電子機器における第２の実施形態を説明する。第２の実施形態は、第１の実施形態と比較して、発電部５０の接続先と制御部２０の起動の手順とが異なる。以下では、第１の実施形態との相違点を中心に説明し、第１の実施形態と同様の構成については同じ符号を付してその説明を省略する。
【００５２】
［電子機器の構成］
図４に示されるように、発電部５０は、電源部３０に接続して、発電素子の発電によって生成する信号を電源部３０に入力する。電源部３０は、発電部５０から入力される信号を受けて、制御部２０を起動する信号を制御部２０に入力する。このように、電子機器１１は、第１の実施形態の電子機器１０と同様の構成要素を有しているが、発電素子の発電によって発電部５０が生成する信号の入力先が電源部３０であること、および、制御部２０を起動する信号が電源部３０から制御部２０に入力されることが異なる。
【００５３】
［電子機器の作用］
発電素子の発電によって生成された信号が電源部３０に入力されたとき、電源部３０の生成する信号の入力によって制御部２０が起動する。制御部２０の起動は、具体的には、以下の手順に従って進む。
【００５４】
発電素子の発電によって生成された信号が発電部５０から電源部３０に入力されたとき、制御部２０を起動させる信号を電源部３０が制御部２０に入力し、かつ、制御部２０の起動に要する電力を電源部３０が制御部２０に供給して、制御部２０が起動する。このとき、制御部２０は、制御部２０のすべての機能が停止したオフモードから起動して、オンモードに移行する。処理モードの変更に要するすべての電力は、電源部３０から制御部２０に供給される。
【００５５】
なお、発電部５０は、発電素子と電源部３０との間にコンデンサ等の蓄電素子や蓄電素子の蓄電状態を監視する監視回路等を有し、発電素子から蓄電素子への蓄電量が所定のしきい値以上である場合に、制御部２０を起動するための信号を監視回路から電源部３０に入力してもよい。蓄電素子としては、コンデンサの他に、有機ラジカル電池や電気二重層キャパシタ等を用いてもよい。こうした構成によれば、発電部５０に与えられる環境中のエネルギーが所定の大きさ以上である時に、電子機器１１が作動する。したがって、電子機器１１が作動する条件となる電子機器１１の周囲の状況について、より厳格な設定をすることができる。
【００５６】
制御部２０が起動すると、制御部２０は所定のプログラムに従って、機能素子４０に作動の指示を行う。制御部２０が起動して以降、制御部２０の処理に要する電力は、電源部３０から供給される。機能素子４０は、制御部２０からの指示に基づいて作動する。このとき、機能素子４０の作動に要する電力は、電源部３０から供給される。そして、所定のプログラムに従った電子機器１１の作動が終了すると、制御部２０は、オンモードからオフモードに移行する。これによって、電子機器１１の作動は終了する。
【００５７】
このように発電素子の発電によって生成された信号は、制御部２０に起動の契機を与えるために用いられ、制御部２０と機能素子４０とは、電源部３０を電源として作動する。したがって、発電部５０の発電量に限りがある場合であっても、機能素子４０として許容される素子の消費電力が高められる。また、制御部２０の起動に要する電力も、電源部３０から供給されるため、機能素子４０を作動させるために発電部５０にて必要な発電量をより小さくできる。
【００５８】
ここで、第２の実施形態では、制御部２０は、オフモードから起動する。すなわち、発電部５０の発電に基づいて制御部２０に起動の契機が与えられるまでの間、制御部２０は、すべての機能を停止している。したがって、第１の実施形態のように、一部の機能を停止した状態から制御部２０が起動する場合と比較して、機能素子４０が作動していない状態における制御部２０の消費電力量を抑えることができる。その結果、電子機器１１における充電や電池の交換の頻度を低減することができる。
【００５９】
以下、電子機器１１が表示機能を有するＩＣカードに具体化した例を説明する。
[ＩＣカードの構成および作用]
図５に示されるように、ＩＣカード１０１は、第１の実施形態のＩＣカード１００と同様の構成を有しているが、圧電素子１４０を有する発電部５０が生成した信号の入力先と、入力先である電源部３０の機能とが異なる。
【００６０】
ＩＣカード１０１では、アンテナ１５０を介した送受信に伴う処理が終了すると、制御部２０はオフモードに移行する。制御部２０がオフモードであるときに、操作部１３０が押圧されると、圧電素子１４０が発電する。この発電によって生成された信号が発電部５０から電源部３０に入力されると、電源部３０は、制御部２０を起動するための信号を制御部２０に入力し、かつ、制御部２０が起動するために必要な電圧を制御部２０に印加する。これによって、制御部２０は、オフモードから起動してオンモードに移行する。
【００６１】
制御部２０がオンモードに遷移すると、制御部２０は、表示部１２０の表示を制御する制御信号と表示データとを表示部１２０に送信する。表示部１２０は、受信した制御信号および表示データに基づいて、文字や画像を表示する。制御部２０の処理と、表示部１２０の作動とに要する電力は、電源部３０から供給される。
【００６２】
なお、制御部２０が起動したときに、制御部２０における処理の選択、すなわち、アンテナ１５０を介したデータの送受信に伴う処理を行うか、表示部１２０を作動させる処理を行うかは、例えば、アンテナ１５０から入力される情報信号の有無等から制御部２０が判断する。
【００６３】
そして、所定のプログラムに従った処理が終了すると、制御部２０は、すべての機能を停止して、オンモードからオフモードに移行する。こうした各部の作動によって、ＩＣカード１０１では、操作部１３０が押圧されると、表示部１２０に文字等が表示される。
【００６４】
なお、第１の実施形態と同様に、操作部１３０は、０〜９の数字が記載された１０個のボタン型のキーから構成されてもよい。この場合、特定のキーの下にのみ圧電素子１４０が配置されることにより、圧電素子１４０が配置されているキーが押圧された場合にのみ、発電部５０から電源部３０に制御部２０を起動させるための信号が入力される。これによって、特定のキーが押圧された場合にのみ、制御部２０を起動させることができる。
【００６５】
また、操作部１３０は、文字が書かれる領域から構成され、操作部１３０の下方の特定の位置にのみ圧電素子１４０が配置されてもよい。この場合、圧電素子１４０の上を通るように、操作部１３０に文字が書かれた場合にのみ、発電部５０から制御部２０に制御部２０を起動させるための信号が入力される。これによれば、操作部１３０に特定の文字が書かれた場合にのみ、制御部２０を起動させることができる。
【００６６】
このように、操作部１３０に対応して特定の位置に圧電素子１４０が配置されることにより、操作部１３０に対して特定の操作が行われたとき、制御部２０が起動し、表示部１２０を作動させる。こうした構成によれば、表示部１２０を作動させるにあたっての認証機能が、圧電素子１４０によって実現されるため、ＩＣカード１０１の使用に対するセキュリティを高めることができる。
【００６７】
以上説明したように、第２の実施形態によれば、第１の実施形態の（１）、（２）、（４）、（５）の効果に加えて、以下の効果が得られる。
（６）制御部２０がすべての機能を停止したオフモードから起動するため、制御部２０が一部の機能を停止した状態から起動する場合と比較して、制御部２０の消費電力量を抑えることができる。したがって、電子機器１１がＩＣカード１０１に具体化された場合には、アンテナ１５０による充電の機会が限られている場合であっても、１回の充電につき、ＩＣカード１０１を作動させることのできる回数が多くなる。
【００６８】
（変形例）
上記実施形態は、以下のように変更して実施することが可能である。
・第１の実施形態において、発電部５０が発電した電力のうち、制御部２０に起動の契機を与えるために使用された電力の余剰分が、電源部３０に蓄電されてもよい。
【００６９】
・第２の実施形態において、発電部５０が発電した電力が電源部３０に蓄電され、蓄電量が所定のしきい値を超えた場合に、電源部３０から制御部２０に電源電圧が供給されてもよい。すなわち、電源部３０には、発電部５０が発電した電力とは異なる電力が蓄電され、さらに、発電部５０が発電した電力が蓄電されて、電源部３０の蓄電量が所定のしきい値を超えた場合に、電源部３０から制御部２０に電源電圧が供給される。
【００７０】
・電子機器１０，１１がＩＣカード１００，１０１に具体化される場合、アンテナ１５０を介したデータの送受信に伴う処理と、発電部５０の発電に基づき機能素子４０を作動させる処理とは、互いに異なる制御部が行ってもよい。また、非接触通信を行うためのアンテナと、非接触給電を行うためのアンテナとが、互いに異なるアンテナであってもよい。
【符号の説明】
【００７１】
１０，１１…電子機器、２０…制御部、３０…電源部、４０…機能素子、５０…発電部、１００，１０１…ＩＣカード、１１０…本体部、１２０…表示部、１３０…操作部、１４０…圧電素子。
【図１】
2015097453.tif 000003
【図２】
2015097453.tif 000004
【図３】
2015097453.tif 000005
【図４】
2015097453.tif 000006
【図５】
2015097453.tif 000007